(57)【要約】【課題】  毛やゴミ等が排管に流れ込むことをより抑制できる壁掛式小便器用のフィルターユニットを提供する。【解決手段】  壁掛式小便器の排水を通過させる複数の排出開口部が周壁に形成された、固形薬剤を収容するケース本体と、ケース蓋と、を備えた、壁掛式小便器用のフィルターユニットであって、開口端を有しない袋状のフィルターネットを備え、前記フィルターネットには、前記ケース本体が収容されており、前記フィルターネットのうち前記ケース本体の外側に位置する第１ネット部と、前記フィルターネットのうち前記第１ネット部を除いた第２ネット部と、が前記排出開口部を挟んで対向するように、前記フィルターネットが折り曲げられていることを特徴とする。【選択図】  図２
2019199702.tif 000002
【特許請求の範囲】
【請求項１】
壁掛式小便器の排水を通過させる複数の排出開口部が周壁に形成された、固形薬剤を収容するケース本体と、ケース蓋と、を備えた、壁掛式小便器用のフィルターユニットであって、
開口端を有しない袋状のフィルターネットを備え、
前記フィルターネットには、前記ケース本体が収容されており、
前記フィルターネットのうち前記ケース本体の外側に位置する第１ネット部と、前記フィルターネットのうち前記第１ネット部を除いた第２ネット部と、が前記排出開口部を挟んで対向するように、前記フィルターネットが折り曲げられていることを特徴とするフィルターユニット。
【請求項２】
前記第２ネット部は、開口端を封着した封着部を備え、
前記封着部は、前記ケース本体の内側に収められるとともに、前記ケース本体の底面に向かって突出することを特徴とする請求項１に記載のフィルターユニット。
【請求項３】
前記フィルターネットは、前記ケース本体と、前記ケース本体に着脱可能に装着される前記ケース蓋と、に挟まれて固定されることを特徴とする請求項１又は２に記載のフィルターユニット。
【発明の詳細な説明】
【技術分野】
【０００１】
本発明は、壁掛式小便器の排水口に設けられるフィルターユニットに関する。
【背景技術】
【０００２】
壁掛式小便器の排水口に流れ込む毛やゴミ等は、排管を詰まらせる要因となり得る。ここで、強い化学薬品や高圧洗浄、トーラー等によって排管を清掃することで、排管のつまりを取り除くことができる。しかしながらこの方法では、小便器又は小便器の下流に位置する設備に悪影響を及ぼす可能性がある。
【０００３】
そこで、排管の詰まりを未然に防止すべく、排水口に流れ込む毛やゴミ等を捕えるフィルターを、小便器の排水口に装着する方法が広く用いられている。
特許文献１には、熱接着性を有する合成樹脂で形成されている環状シート板に筒状ネット体の開口端縁部を熱接着することによって、環状シート板と筒状ネット体とを一体に接合した排水口フィルターが開示されている。この筒状ネット体によって、排水口に流れ込む毛やゴミ等が捕捉される。
【先行技術文献】
【特許文献】
【０００４】
【特許文献１】特許第５２５０４４７号明細書
【発明の概要】
【発明が解決しようとする課題】
【０００５】
しかしながら、特許文献１に記載の筒状ネット体では、毛やゴミ等を捕捉するフィルタリング効果が十分ではない。そのため、毛やゴミ等が筒状ネット体をすり抜けて排管に流れ込む可能性がある。
【０００６】
そこで、本発明は、毛やゴミ等が排管に流れ込むことをより抑制できる壁掛式小便器用のフィルターユニットを提供することを目的とする。
【課題を解決するための手段】
【０００７】
上記課題を解決するために、本願発明に係るフィルターユニットは、（１）壁掛式小便器の排水を通過させる複数の排出開口部が周壁に形成された、固形薬剤を収容するケース本体と、ケース蓋と、を備えた、壁掛式小便器用のフィルターユニットであって、開口端を有しない袋状のフィルターネットを備え、前記フィルターネットには、前記ケース本体が収容されており、前記フィルターネットのうち前記ケース本体の外側に位置する第１ネット部と、前記フィルターネットのうち前記第１ネット部を除いた第２ネット部と、が前記排出開口部を挟んで対向するように、前記フィルターネットが折り曲げられていることを特徴とする。
【０００８】
（２）前記第２ネット部は、開口端を封着した封着部を備え、前記封着部は、前記ケース本体の内側に収められるとともに、前記ケース本体の底面に向かって突出することを特徴とする（１）に記載のフィルターユニット。
【０００９】
（３）前記フィルターネットは、前記ケース本体と、前記ケース本体に着脱可能に装着される前記ケース蓋と、に挟まれて固定されることを特徴とする（１）又は（２）に記載のフィルターユニット。
【発明の効果】
【００１０】
本発明によれば、複数の排出開口部を通過する壁掛式小便器の排水は、第１ネット部及び第２ネット部を通過する。したがって、排水に含まれる毛やゴミ等はフィルターネットによって二重に捕捉される。その結果、毛やゴミ等が排管に流れ込むことをより抑制することが可能となる。
【図面の簡単な説明】
【００１１】
【図１】本実施形態におけるフィルターユニットが排水口に設置された状態の壁掛式小便器の概略斜視図である。
【図２】本実施形態におけるフィルターユニットの概略側面図である。
【図３】本実施形態におけるケース本体及びフィルターネットの概略斜視図である。
【図４】図３に示すフィルターネット及びケース本体のＡ−Ａ断面図である。
【発明を実施するための形態】
【００１２】
（第１実施形態）
以下、図面を参照しながら、本実施形態におけるフィルターユニットの構成について説明する。図１は、本実施形態におけるフィルターユニットが排水口に設置された状態の壁掛式小便器の概略斜視図である。図２は、本実施形態におけるフィルターユニットの概略側面図である。図３は、本実施形態におけるケース本体及びフィルターネットの概略斜視図である。Ｘ軸、Ｙ軸及びＺ軸は、互いに直交する３軸である。Ｘ軸は、壁掛式小便器の奥行方向を示す。Ｙ軸は、壁掛式小便器の幅方向を示す。Ｚ軸は、フィルターユニットの高さ方向を示す。図２に示すドット部は、後述する第２封着部３２を示し、図４においても同様とする。図２及び３に示す格子部は、フィルターネット３を示す。
図１乃至３を参照して、本実施形態におけるフィルターユニット１は、壁掛式小便器１０に設けられた排水口（不図示）に載置される。フィルターユニット１は、尿石付着防止剤２と、フィルターネット３とを備える。尿石付着防止剤２は、ケース蓋２１、ケース本体２２、及び固形薬剤２３を備える。フィルターネット３は開口端を有しない袋状のネット体であり、フィルターネット３にはケース本体２２が収容されている。ケース本体２２の内側には、円筒形状の固形薬剤２３が収容されている。固形薬剤２３は尿石の付着を防止するために用いられ、フィルターネット３のうちケース本体２２の内側に位置する部分に載置されている。ケース蓋２１はケース本体２２に着脱可能に装着されている。ケース蓋２１とケース本体２２との装着方法については後述する。
【００１３】
ケース蓋２１は、ケース蓋天面２１１と、ケース蓋底面２１２と、複数の第１接続部２１３と、を備えており、これらは一体的に構成されている。ケース蓋天面２１１は、Ｚ軸方向視において円盤状に形成されており、Ｚ軸方向下方に向かうにしたがって拡径する曲面を有する。ケース蓋天面２１１には、厚み方向に貫通した複数の流入開口部２１１ａが形成されている。複数の流入開口部２１１ａは、周方向に等間隔に形成されている。
ケース蓋底面２１２は、ＸＹ平面において環状に形成されている。ケース蓋底面２１２の内径は、ケース蓋天面２１１の外径より大きい。ケース蓋天面２１１の側面と、ケース蓋底面２１２の少なくとも上面とは、外側に湾曲したアーチ形状を有する複数の第１接続部２１３により接続される。
複数の第１接続部２１３は、周方向に等間隔に設けられており、隣り合う２つの第１接続部２１３の間にはそれぞれ、流入開口部２１３ａが形成される。各第１接続部２１３の径方向内面には、第１接続部２１３の下方側の端部からＺ軸方向に平坦に延びる第１平坦面２１３ｂが形成される。各流入開口部２１１ａ及び２１３ａから、尿や壁掛式小便器１０から流れる洗浄水等（以下、「排水」と称す）がフィルターユニット１に流入する。
【００１４】
ケース本体２２は、ケース本体第１天面２２１と、ケース本体第２天面２２２と、複数の第２接続部２２３と、複数の第３接続部２２４と、ケース本体底面２２５と、ケース本体側面２２６と、を備えており、これらはケース本体２２の周壁として一体的に構成されている。
ケース本体第１天面２２１及びケース本体第２天面２２２は、同一のＸＹ平面において環状に形成されており、ケース本体第２天面２２２はケース本体第１天面２２１の内側に設けられている。ケース本体第１天面２２１の外縁はケース蓋底面２１２の内縁に沿って形成されており、ケース本体第１天面２２１の外縁とケース蓋底面２１２の内縁との間には、微小なクリアランスが形成されている。この微小なクリアランスは、フィルターネット３の厚みと略一致する。
【００１５】
ケース本体第１天面２２１及びケース本体第２天面２２２は、径方向に延びる複数の第２接続部２２３及び複数の第３接続部２２４によって接続されている。複数の第２接続部２２３は、周方向に等間隔に４つ設けられている。第３接続部２２４は、隣接する２つの第２接続部２２３の周方向における中間位置にそれぞれ設けられている。
【００１６】
各第２接続部２２３の径方向外側の端部には、ケース本体第１天面２２１より径方向外側に突出して形成される爪部２２３ａが設けられている。爪部２２３ａはそれぞれ、各流入開口部２１３ａのいずれかに対応した位置に設けられており、ケース蓋底面２１２に係合してケース蓋底面２１２に上方から当接している。すなわち、ケース本体２２の爪部２２３ａがケース蓋２１にロックされることにより、ケース本体２２にケース蓋２１が装着される。
この装着方法によれば、ケース本体２２がケース蓋２１と分離してＺ軸方向下方に移動することが防止される。そのため、フィルターユニット１に流入する排水の流量が多い場合又は流入する排水の勢いが強い場合であっても、爪部２２３ａがケース蓋底面２１２に上方から当接することにより、ケース本体２２がケース蓋２１と分離して排管に流れ込むことが抑制される。
【００１７】
上述の装着方法によってケース蓋２１がケース本体２２に装着されることにより、フィルターネット３が、ケース蓋２１（ケース蓋底面２１２）とケース本体２２（ケース本体第１天面２２１）との間に挟まれて固定された構成となる。なお、ケース蓋２１をケース本体２２に装着する装着方法は、上述の装着方法に限られるものではない。ケース蓋２１がケース本体２２に着脱可能に装着されることによって、ケース蓋２１とケース本体２２との間にフィルターネット３が挟まれて固定される構成となればよい。したがって、例えば、爪部をケース蓋２１に設け、この爪部をケース本体２２に係合させる構成であってもよい。
ケース蓋２１とケース本体２２との間にフィルターネット３が挟まれて固定される構成によれば、尿石付着防止剤２にフィルターネット３を熱接着等の接着方法によって固定する作業が不要となる。その結果、尿石付着防止剤２にフィルターネット３を固定する作業がより容易となる。また、ケース蓋２１をケース本体２２に装着するだけで、尿石付着防止剤２が形成されるとともに、尿石付着防止剤２にフィルターネット３が固定される。したがって、フィルターユニットを製作する手間が簡素化される。
【００１８】
各第３接続部２２４の径方向外側の端部には、Ｚ軸方向に延びる一対の突起部２２４ａが設けられている。一対の突起部２２４ａの位相はそれぞれ、第１接続部２１３の位相と同じである。突起部２２４ａの径方向外面には、Ｚ軸方向に平坦に延びる第２平坦面２２４ｂが形成されている。各第２平坦面２２４ｂのうち少なくとも１つは、第１平坦面２１３ａと当接している。
突起部２２４ａを第１接続部２１３と同じ位相とすることにより、ケース蓋２１をケース本体２２に装着する際、ケース蓋２１を、第１平坦面２１３及び第２平坦面２２４ｂが延びる方向（本実施形態においてはＺ軸方向）に容易に押し込むことができる。そのため、ケース蓋２１をケース本体２２に装着する作業がより容易となる。
【００１９】
ケース本体底面２２５は、ＸＹ平面において環状に形成されている。ケース本体底面２２５の外径は、ケース本体第２天面２２２の内径より小さい。ケース本体側面２２６は、ケース本体第２天面２２２の内縁部と、ケース本体底面２２５の外縁部と、を繋いでおり、Ｚ軸方向下方に向かうにしたがって縮径する形状を有する。
【００２０】
ケース本体第１天面２２１の内縁と、ケース本体第２天面２２２の外縁とに挟まれた位置に、排出開口部２２ａが設けられている。排出開口部２２ａは、複数の第２接続部２２３及び複数の第３接続部２２４によって区切られている。
ケース本体底面２２５の内側には排出開口部２２５ａが設けられている。排出開口部２２５ａは、ケース本体底面２２５の内周面に形成された略十字状の仕切り板２２５ｂによって４等分されている。ケース本体側面２２６には、厚み方向に貫通する排出開口部２２６ａが設けられている。排出開口部２２６ａは、周方向に等間隔に設けられている。フィルターユニット１に流入した排水は、排出開口部２２ａ、２２５ａ及び２２６ａから、フィルターユニット１の外部に排出される。
【００２１】
フィルターネット３について、図１乃至４を参照して説明する。図４は、図３に示すフィルターネット及びケース本体のＡ−Ａ断面図である。図４に示すハッチングは、第１封着部３１を示す。フィルターネット３は、筒状に形成された筒状ネットの一端部を封着した第１封着部３１（請求項２における「封着部」に相当）と、他端部を封着した第２封着部３２と、を備える。
フィルターネット３には、ケース本体２２が収容される。ケース本体２２の内側には第１封着部３１が収められ、ケース本体２２の外側には第２封着部３２が配置される。したがって、フィルターネット３は、フィルターネット３のうちケース本体２２の外側に位置する第１ネット部３３と、フィルターネット３のうち第１ネット部３３を除いた第２ネット部３４と、で構成される。第１ネット部３３及び第２ネット部３４が排水開口部２２ａ、２２５ａ及び２２６ａを挟んで対向するように、フィルターネット３は折り曲げられている。フィルターネット３の形成方法については後述する。
【００２２】
流入開口部２１１ａ及び２１３ａからフィルターユニット１に流入した排水は、固形薬剤２３を溶解させた後、排出開口部２２ａ、２２５ａ及び２２６ａを通過して、フィルターユニット１から排出される。その際に、排水は、第２ネット部３４と、第１ネット部３３と、をこの順に通過する（ネットを２度通過する）。したがって、フィルターユニット１に流入した毛やゴミ等が排管に流れ込むことをより抑制することが可能となる。
【００２３】
第２ネット部３４は、ケース本体２２をＺ軸方向に見た場合においてケース本体２２を覆う位置に設けられることが好ましい。この構成によれば、第１ネット部３３及び第２ネット部３４が排水開口部２２ａ、２２５ａ及び２２６ａを挟んで対向するとともに、フィルターユニット１に流入した毛やゴミ等をさらに広範囲で捕捉することができる。そのため、毛やゴミ等が排管に流れ込むことをさらにより抑制することが可能となる。
【００２４】
フィルターネット３は、以下のように形成することが好ましい。すなわち、筒状ネットの一端部を封着して、その筒状ネットの表裏を逆にすることにより、第１封着部３１が開口端端部側に突出した筒状ネットが形成される。この開口端端部がケース本体２２よりＺ軸方向下方に位置し、第１封着部３１がケース本体２２よりＺ軸方向上方に位置するように、筒状ネット内にケース本体２２を配置する。これにより、筒状ネットが、ケース本体第１天面２２１の外縁に対応する位置で区切られて２つのネット部に領域分けされる。これら２つのネット部のうち、第１封着部３１を含むネット部（フィルターネット３における第２ネット部３４に対応）を、ケース本体第１天面２２１の外縁に対応する位置で径方向内側に折り曲げる。
径方向内側に折り曲げたネット部のうち、ケース本体第２天面２２２の内縁に対応する位置より径方向内側に位置するネット部を、ケース本体第２天面２２２の内縁に対応する位置でＺ軸方向下方に折り曲げる。これにより、第１封着部３１がケース本体底面２２５に向かって突出した構成となる。
上述の２つのネット部のうち、筒状ネットの開口端端部を含むネット部（フィルターネット３における第１ネット部３３に対応）において、開口端端部を封着することにより、第２封着部３２を形成する。これにより、ケース本体２２が収容されたフィルターネット３が形成される。
【００２５】
上述の構成によれば、第１封着部３１がケース本体底面２２５に向かって突出しているため、固形薬剤２３をケース本体２２に収容する際、固形薬剤２３と第１封着部３１との干渉が回避される。そのため、第１封着部３１がＺ軸方向上方に向かって突出している構成と比べて、固形薬剤２３を適切な収容位置に収容することがより容易となる。
【００２６】
（変形例１）
本実施形態においては、フィルターネット３が第１封着部３１及び第２封着部３２を備える構成であるが、これに限られず、フィルターネット３は開口端を有しない袋状のネット体であればよい。したがって、例えば、フィルターネット３が第１封着部３１又は第２封着部３２のうちいずれか一方のみを備えた構成であってもよく、第１封着部３１及び第２封着部３２のいずれも有さない構成であってもよい。
【００２７】
（変形例２）
本実施形態において、複数の第２接続部２２３は、周方向に等間隔に４つ設けられているが、これに限られず、第２接続部２２３が、周方向に等間隔に３つ以下又は５つ以上設けられていてもよく、周方向に不均一に１つ以上設けられていてもよい。
【００２８】
（変形例３）
本実施形態において、複数の第３接続部２２４は、隣接する２つの第２接続部２２３の周方向における中間位置にそれぞれ設けられているが、これに限られない。第３接続部２２４は、隣接する２つの第２接続部２２３の周方向における中間位置を避けた位置に、それぞれ設けられてもよい。また、第３接続部２２４の数は、第２接続部２２３の数と異なっていてもよい。
【００２９】
（変形例４）
本実施形態において、排出開口部２２５ａは、ケース本体底面２２５の内周面に形成された略十字状の仕切り板２２５ｂによって４等分されているが、これに限られず、フィルターユニット１に流入した排水を排出可能な構造であればよい。例えば、仕切り板２２５ｂは、ケース本体底面２２５の内周面を均等に分割する形状（略十字状を除く）の仕切り板であってよい。また、排出開口部２２５ａは、例えば、円盤状に形成されたケース本体底面２２５をその厚み方向に貫通して形成されてもよい。
【００３０】
（変形例５）
本実施形態において、爪部２２３ａは、複数の第２接続部２２３に形成されているが、これに限られず、各流入開口部２１３ａのいずれかに対応した位置に設けられていればよい。例えば、爪部２２３ａの少なくとも１つが、ケース本体第１天面２２１の上面のうち第２接続部２２３を避けた位置に設けられてもよい。
【００３１】
（変形例６）
本実施形態において、突起部２２４ａは、複数の第３接続部２２４に形成されているが、これに限られず、各第１接続部２１３のいずれかに対応した位置に設けられていればよい。例えば、突起部２２４ａの少なくとも１つが、ケース本体第１天面２２１の上面のうち第３接続部２２４を避けた位置に設けられてもよい。
【００３２】
（変形例７）
本実施形態においては、ケース蓋天面２１１に、周方向に等間隔に複数の流入開口部２１１ａが形成されている構成であるが、これに限られず、ケース蓋天面２１１の中央部に流入開口部が１つ形成された構成であってもよい。
【符号の説明】
【００３３】
１：フィルターユニット  ２：尿石付着防止剤  ３：フィルターネット  １０：壁掛式小便器  ２１：ケース蓋  ２２：ケース本体  ２３：固形薬剤  ３１：第１封着部  ３２：第２封着部  ３３：第１ネット部  ３４：第２ネット部  ２２ａ、２２５ａ、２２６ａ：排出開口部
【図１】
2019199702.tif 000003
【図２】
2019199702.tif 000004
【図３】
2019199702.tif 000005
【図４】
2019199702.tif 000006